(57)【要約】【課題】ティシュペーパーをティシュ箱から引き抜くときに室内空間に飛散する粉塵を、従来の空気清浄機を運転して清浄化しようとすると、ティシュ箱を床面等の低い位置に置かなければならないのでティシュペーパーが取りづらく、また空気清浄機を移動する場合にはティシュ箱も改めて移動しなければならない等の課題があった。【解決手段】空気清浄機１の上面部分の一部を、ティシュ箱１１を載置できる凹部構造とし、ここに置いたティシュ箱１１からティシュペーパー１２を引き抜くときに発生する粉塵を吸込口４から空気清浄機１に吸引し、清浄化して吹出口７より室内に戻すことによって粉塵の飛散を少なくすることを可能にするとともに、ティシュペーパー１２が取りやすくなり、また空気清浄機１を移動するときの省力化を図ることができる空気清浄機１が得られる。【選択図】図９
2016121863.tif 000002
【特許請求の範囲】
【請求項１】
上面部分にティシュ箱を載置するための凹部構造を備えたことを特徴とする空気清浄機。
【請求項２】
空気清浄機が、運転停止スイッチの操作によって停止中の場合であっても、タッチスイッチ、もしくは人感センサーからの信号によって、あらかじめ設定された時間だけ運転することを可能とした、請求項１に記載の空気清浄機。
【発明の詳細な説明】
【技術分野】
【０００１】    本発明は、ティシュペーパーをティシュ箱から引き抜くときに発生する粉塵を吸引し、清浄化することができる空気清浄機に関するものである。
【発明の概要】
【発明が解決しようとする課題】
【０００２】    ティシュペーパーをティシュ箱から引き抜くときには、多くの粉塵が室内空間に飛散し、浮遊するが、時間の経過とともに、これらの粉塵は床面だけでなく、その他多くの家具等に沈着し、掃除が必要となるばかりでなく、その一部は人体内に吸入されて健康上の被害も考えられる。【０００３】    これらの粉塵が室内空間に飛散する量を減少させる方法としては、空気清浄機の吸込口の近くにティシュ箱を置き、空気清浄機を運転した状態でティシュペーパーを引き抜けば、粉塵の一部は空気清浄機内に取り込まれ、清浄化されて吹出口から室内空間に戻される。【０００４】    この状態について図１０をもとにして説明すると、空気清浄機１０１を運転し、空気清浄機の前面部分１０２とフロントパネル１０３との間に設けられた吸込口１０４の近くにティシュ箱１０６を置いた状態でティシュペーパー１０７を引き抜くと、そのとき発生した粉塵は吸込口１０４から空気清浄機１０１内に吸引され、清浄化されて吹出口１０５から室内に戻される。【０００５】    ただし、この方法ではティシュ箱１０６が床面の上など低い位置にあるため、ティシュペーパー１０７を引き抜くときに使い勝手が悪く、また、空気清浄機１０１を移動するときにはティシュ箱１０６も改めて移動しなければならず、更には床の掃除のときは、ティシュ箱１０６が邪魔になる、などの問題があった。
【課題を解決するための手段】
【０００６】    以下に本発明の一実施例の構造について図１、図２を参照しながら説明する。【０００７】    空気清浄機１の内部には、空気清浄機前面部分２とフロントパネル３との間に形成された吸込口４から室内の空気を吸引するための送風装置５と、吸引された空気の中に含まれる粉塵等を除去するための集塵装置６が設置されている。【０００８】    また、空気清浄機１の上面部分には、吹出口７、操作表示部９、ティシュ箱載置部８が設置されている。【０００９】    操作表示部９は、空気清浄機１の運転停止スイッチ、風量切換スイッチ、その他必要な操作を行うためのスイッチ類と、そのときの運転の状態を表示するための表示ランプ等で構成されている。【００１０】    ティシュ箱載置部８は、ティシュ箱を安定して載置するための部分であり、通常市販されているティシュ箱が安定して載置できる大きさであればよい。【００１１】    以下に本発明の一実施例の動作について図３、図４を参照しながら説明する。【００１２】    操作表示部９に設けられた運転停止スイッチを操作して空気清浄機１を運転すると、室内等の汚れた空気は吸込口４から送風装置５によって吸い込まれ、途中、集塵装置６によって粉塵等が除去され、清浄化されたのち吹出口７から室内空間に戻される。【００１３】    ティシュ箱載置部８にティシュ箱１１を置いた状態でティシュペーパー１２を引き抜くと、そのとき生じた粉塵の一部も吸込口４から吸引され、集塵装置６によって除去され、清浄化されて吹出口７から室内空間に戻される。【００１４】    したがって、ティシュ箱１１からティシュペーパー１２を引き抜く際に発生し、室内に直接飛散する粉塵の量は減少することになる。【００１５】    なお、ティシュ箱載置部８の底部に落ちた粉塵を吸引するために、ティシュ箱載置部８の吸込口４側に面した部分には通気口８ａを設けてもよい。【００１６】    ティシュ箱載置部８の位置は、空気清浄機１の上面部分であればどこでもよく、たとえば、図５に示すように、ティシュ箱載置部８を右側にし、操作表示部９を左側に設置してもよい。【００１７】    また、図６に示すように、操作表示部９を左右に分割して、その一部を９ａとし、これらの間にティシュ箱載置部８を設置してもよい。【００１８】    また、図７に示すように、ティシュ箱載置部８の長手方向を、空気清浄機１の奥行き方向に設置してもよい。【００１９】    さらに、多機能の空気清浄機１などの場合には、上面部分にティシュ箱載置部８を設けたことによって、操作表示部９のためのスペースが少なくなることが考えられるが、その場合は図８に示すように、操作表示部の一部９ｂとして分割して設けてもよい。【００２０】    次に、一時運転スイッチ１０を設けた場合の効果について図９を参照しながら説明する。【００２１】    一時運転スイッチ１０は、空気清浄機１が運転停止スイッチによって停止している場合であっても、一時運転スイッチ１０を操作することによって、あらかじめ設定された時間だけ空気清浄機１を運転できる回路に接続されているスイッチである。【００２２】    すなわち、ティシュ箱１１からティシュペーパー１２を引き抜くときに、一時運転スイッチ１０を操作することによって空気清浄機１が一定���間運転し、発生する粉塵の一部を除去することができる。【００２３】    一時運転スイッチ１０は、タッチスイッチでもよく、また、手の近接を感知する人感センサーであってもよい。【００２４】    以上の説明で明らかなように、本発明によれば、ティシュ箱１１を空気清浄機１の上面部分に載置することができるので、ティシュペーパー１２を取り出すときに発生する粉塵の一部を、室内空間に飛散する前に集塵することができると同時に、ティシュ箱１１が使いやすい高さの位置にあるので、ティシュペーパー１２を取り出すのに便利であり、更に、空気清浄機を移動したときには、ティシュ箱１１も同時に移動するので、掃除の際には便利であるなどの効果のある空気清浄機を提供できる。【００２５】    さらに、空気清浄機１が運転停止スイッチによって停止している場合であっても、一時運転スイッチ１０を操作することによって、あらかじめ設定された時間だけ空気清浄機１を運転できるので、ティシュ箱１１からティシュペーパー１２を引き抜くときに発生する粉塵の一部を、室内空間に飛散する前に除去することができる等の利点がある。【００２６】    以上、本発明を実施するための形態について記述したが、本発明は記述の実施形態に限定されるものではなく、技術思想に基づいた変更が可能である。【００２７】    例えば、吹出口７、ティシュ箱載置部８、操作表示部９などが配置される上面部分は、必ずしも水平である必要はなく、傾斜していてもよく、また、曲面形状を取り入れて設計、製作することも可能であり、空気清浄機１の上面部分にティシュ箱１１を載置可能な構造を有するものは本発明の技術思想の範囲である。
【図面の簡単な説明】
【００２８】
【図１】本発明の一実施例の空気清浄機の断面図
【図２】同斜視図
【図３】本発明の一実施例の空気清浄機の動作説明断面図
【図４】同斜視図
【図５】本発明の他の実施例の空気清浄機の上面部分斜視図
【図６】本発明の他の実施例の空気清浄機の上面部分斜視図
【図７】本発明の他の実施例の空気清浄機の上面部分斜視図
【図８】本発明の他の実施例の空気清浄機の上面部分斜視図
【図９】本発明の一実施例の空気清浄機の動作説明斜視図
【図１０】従来の空気清浄機の動作説明斜視図
【符号の説明】
【００２９】１  空気清浄機
２  空気清浄機の前面部分
３  フロントパネル
４  吸込口
５  送風装置
６  集塵装置
７  吹出口
８  ティシュ箱載置部
８ａ  通気口
９  操作表示部
９ａ  操作表示部の一部
９ｂ  操作表示部の一部
１０  一時運転スイッチ
１１  ティシュ箱
１２  ティシュペーパー
【図１】
2016121863.tif 000003
【図２】
2016121863.tif 000004
【図３】
2016121863.tif 000005
【図４】
2016121863.tif 000006
【図５】
2016121863.tif 000007
【図６】
2016121863.tif 000008
【図７】
2016121863.tif 000009
【図８】
2016121863.tif 000010
【図９】
2016121863.tif 000011
【図１０】
2016121863.tif 000012